(57)【要約】【課題】  従来、バーコードを利用して携帯端末に印刷装置の印刷設定を取り込む印刷システムにおいて、携帯端末に保持されている印刷設定を用いた印刷を行う際には最低限ユーザが印刷設定送信と印刷コンテンツの送信の2手順を行う必要があった。【解決手段】  携帯端末が印刷装置に設定されている印刷設定をバーコード又はＥメールを利用して取り込み、携帯端末が取り込んだ印刷設定と印刷コンテンツから印刷ジョブを生成し印刷装置へ送信することで印刷を行う。【選択図】  図９
2010117781.tif 000002
【特許請求の範囲】
【請求項１】
印刷ジョブを送信する情報端末（１０１）と受信した印刷ジョブに従い印刷処理を行う印刷装置（１０２）から構成される印刷システムにおいて、
印刷装置（１０２）が、印刷装置（１０２）の提供するユーザーインターフェース（１０４）でユーザに印刷設定を行わせる手段と、
印刷装置（１０２）が、受信した印刷ジョブを分析し、印刷ジョブ中に印刷設定が含まれていない場合には既に印刷装置（１０２）に設定されている印刷設定を用いて印刷処理を行う手段、印刷ジョブ中に印刷設定が含まれている場合には印刷ジョブ中の印刷設定を用いて印刷処理を行う手段と、
印刷装置（１０２）が、印刷装置（１０２）の提供するユーザーインターフェース（１０４）上に、印刷装置固有の情報及び印刷装置に設定されている印刷設定情報をバーコード化して表示する手段と、
携帯端末（４００）が、内蔵カメラ又は外部カメラ（４０４）により撮影されたバーコード情報を分析し、バーコード内に記録されている印刷装置固有の情報及び印刷設定情報を抽出する手段と、
携帯端末（４００）が、携帯端末内記憶装置にバーコードから抽出した印刷装置固有の情報と印刷設定情報を関連づけて保持する手段と、
を有することを特徴とする印刷システム。
【請求項２】
請求項１に記載の印刷システムにおいて、
携帯端末（４００）が、内蔵カメラ又は外部カメラ（４０４）により撮影されたバーコード情報を分析し、バーコード内に記録されている印刷装置固有の情報及び印刷設定情報を抽出した際に、
携帯端末（４００）が、バーコードから抽出した印刷装置固有の情報に関連づけられた印刷設定情報を携帯端末内記憶装置から読み出し、設定可能な印刷設定を携帯端末パネル（４０１）上に表示する手段と、
携帯端末（４００）が、ユーザに携帯端末パネル（４０１））上で印刷設定と印刷コンテンツを選択させる手段と、ユーザから送信指示を受け付ける手段と、ユーザからの送信指示があった際に印刷設定と印刷コンテンツを含む印刷ジョブを生成し、印刷ジョブを印刷装置（１０２）に転送する手段と、
を有することを特徴とする印刷システム。
【請求項３】
印刷ジョブを送信する情報端末と受信した印刷ジョブに従い印刷処理を行う印刷装置（１０２）から構成される印刷システムにおいて、
印刷装置（１０２）が、印刷装置（１０２）の提供するユーザーインターフェース（１０４）でユーザに印刷設定を行わせる手段と、印刷装置（１０２）が、印刷装置（１０２）に設定されている印刷設定を用いて印刷処理を行う手段と、
印刷装置（１０２）が、受信印刷ジョブがＥメール経由で投入されたものであった場合には、印刷ジョブ送信元情報をＥメールから抽出し印刷装置内記憶装置に保持する手段と、印刷終了後に印刷装置固有の情報及び印刷装置に設定されている印刷設定情報をＥメールとして印刷ジョブ送信元Ｅメールアドレス宛に送信する手段と、
携帯端末（４００）が、Ｅメールを受信しＥメール内に印刷装置固有の情報及び印刷設定情報が含まれている際に、Ｅメール内に記録されている印刷装置固有の情報及び印刷設定情報を抽出する手段と、
携帯端末（４００）が、携帯端末内記憶装置にＥメールから抽出した印刷装置固有の情報と印刷設定情報を関連づけて保持する手段と、
を有することを特徴とする印刷システム。
【請求項４】
請求項１から請求項３のいずれかに記載の印刷ジョブは、印刷装置（１０２）の印刷処理動作を規定する印刷設定と印刷装置（１０２）が解釈可能な文書情報である印刷コンテンツから構成されるデータ構造を有することを特徴とする印刷システム。
【請求項５】
印刷ジョブを送信する情報端末と受信した印刷ジョブに従い印刷処理を行う印刷装置（１０２）から構成される印刷システムにおいて、
携帯端末（４００）が、印刷設定情報を携帯端末内記憶装置から読み出し、設定可能な複数の印刷設定を携帯端末パネル（４０１）上に表示する手段と、ユーザに複数の印刷設定を選択させる手段と、
携帯端末（４００）が、選択された複数の印刷設定の差分情報を携帯端末パネル（４０１）上に表示する手段と、
を有することを特徴とする印刷システム。
【発明の詳細な説明】
【技術分野】
【０００１】
本発明は、カメラ機能やメール送受信機能を有する携帯端末など情報端末から印刷ジョブを送信し、印刷装置が、印刷ジョブに従って印刷処理を行う印刷システムに関係する。
【背景技術】
【０００２】
印刷装置は近年の技術の進歩により、印刷装置が印刷処理に適用可能な画像処理やフィニッシングなど各種機能の選択肢が飛躍的に増え高機能化している。このような高機能な印刷装置には概して高機能化された印刷設定をユーザが効率的に設定可能なように、大画面のタッチパネルや高度なＧＵＩ表示など高機能なユーザーインターフェースが用意されている。その一方で、携帯電話などの携帯端末は本体小型化を優先するためにディスプレイやキーなどのユーザーインターフェースは高機能なものを採用していないことが多い。
【０００３】
ユーザが携帯端末から例えばＰＤＦなどの印刷コンテンツをユーザの望む印刷設定で印刷したいと望む際に、ユーザが携帯端末のチープなユーザーインターフェースを用いて印刷設定を行うと非常に非効率な作業となってしまうという課題が生ずる。この課題を解決するために従来、ユーザが印刷装置操作パネルなどから印刷装置へ設定した印刷設定を印刷装置が印刷装置操作パネル上に例えばバーコードのようにグラフィック表示する方法や、ユーザが携帯端末に内蔵されているカメラで前記バーコードを取り込むことで携帯端末に印刷設定を取り込む方法などが存在する。ユーザは、携帯端末に取り込んだ印刷設定を印刷装置に赤外線送信することで過去に印刷装置に対して行った印刷設定を印刷装置に再度設定することが可能である。（例えば、特許文献１）。
【特許文献１】特開２００７−３６４０４号公報
【発明の開示】
【発明が解決しようとする課題】
【０００４】
しかし、前述の技術ではユーザが携帯端末から印刷設定を印刷装置へ送信し、その後ユーザが携帯端末等から印刷コンテンツを印刷装置へ送信する必要があり、ユーザが印刷装置への送信作業を少なくとも２回行う必要があった。
【課題を解決するための手段】
【０００５】
上記問題点を解決することを目的とした、本出願に関わる第１の発明の印刷システムは以下に示す構成を備える。
【０００６】
印刷ジョブを送信する情報端末と受信した印刷ジョブに従い印刷処理を行う印刷装置から構成される印刷システムにおいて、
印刷装置が、印刷装置の提供する（操作パネルやＷｅｂブラウザ経由でのリモート操作画面などの）ユーザーインターフェースでユーザに印刷設定を行わせる手段と、
印刷装置が、受信した印刷ジョブを分析し、印刷ジョブ中に印刷設定が含まれていない場合には既に印刷装置に設定されている印刷設定を用いて印刷処理を行う手段、印刷ジョブ中に印刷設定が含まれている場合には印刷ジョブ中の印刷設定を用いて印刷処理を行う手段と、
印刷装置が、印刷装置の提供するユーザーインターフェース上に、印刷装置固有の情報及び印刷装置に設定されている印刷設定情報をバーコード化して表示する手段と、
携帯端末が、内蔵カメラ又は外部カメラにより撮影されたバーコード情報を分析し、バーコード内に記録されている印刷装置固有の情報及び印刷設定情報を抽出する手段と、
携帯端末が、携帯端末内記憶装置にバーコードから抽出した印刷装置固有の情報と印刷設定情報を関連づけて保持する手段と、
を備える。
【０００７】
また、上記目的を達成する本出願に関わる第２の発明の印刷システムは以下に示す構成を備える。
【０００８】
第１の発明の印刷システムにおいて、
携帯端末が、内蔵カメラ又は外部カメラにより撮影されたバーコード情報を分析し、バーコード内に記録されている印刷装置固有の情報及び印刷設定情報を抽出した際に、
携帯端末が、バーコードから抽出した印刷装置固有の情報に関連づけられた印刷設定情報を携帯端末内記憶装置から読み出し、設定可能な印刷設定を携帯端末パネル上に表示する手段と、
携帯端末が、ユーザに携帯端末パネル上で印刷設定と印刷コンテンツを選択させる手段と、ユーザから送信指示を受け付ける手段と、ユーザからの送信指示があった際に印刷設定と印刷コンテンツを含む印刷ジョブを生成し、印刷ジョブを印刷装置に転送する手段と、
を備える。
【０００９】
また、上記目的を達成する本出願に関わる第３の発明の印刷システムは以下に示す構成を備える。
【００１０】
印刷ジョブを送信する情報端末と受信した印刷ジョブに従い印刷処理を行う印刷装置から構成される印刷システムにおいて、
印刷装置が、印刷装置の提供するユーザーインターフェースでユーザに印刷設定を行わせる手段と、印刷装置が、印刷装置に設定されている印刷設定を用いて印刷処理を行う手段と、
印刷装置が、受信印刷ジョブがＥメール経由で投入されたものであった場合には、印刷ジョブ送信元情報をＥメールから抽出し印刷装置内記憶装置に保持する手段と、印刷終了後に印刷装置固有の情報及び印刷装置に設定されている印刷設定情報をＥメールとして印刷ジョブ送信元Ｅメールアドレス宛に送信する手段と、
携帯端末が、Ｅメールを受信しＥメール内に印刷装置固有の情報及び印刷設定情報が含まれている際に、Ｅメール内に記録されている印刷装置固有の情報及び印刷設定情報を抽出する手段と、
携帯端末が、携帯端末内記憶装置にＥメールから抽出した印刷装置固有の情報と印刷設定情報を関連づけて保持する手段と、
を備える。
【００１１】
また、上記目的を達成する本出願に関わる第４の発明の印刷システムは以下に示す構成を備える。
【００１２】
第１の発明から第３の発明のいずれかに記載の発明において、印刷ジョブは、印刷装置の印刷処理動作を規定する印刷設定と印刷装置が解釈可能な文書情報である印刷コンテンツから構成されるデータ構造を有する。
【００１３】
また、上記目的を達成する本出願に関わる第５の発明の印刷システムは以下に示す構成を備える。
【００１４】
印刷ジョブを送信する情報端末と受信した印刷ジョブに従い印刷処理を行う印刷装置から構成される印刷システムにおいて、
携帯端末が、印刷設定情報を携帯端末内記憶装置から読み出し、設定可能な複数の印刷設定を携帯端末パネル上に表示する手段と、ユーザに複数の印刷設定を選択させる手段と、
携帯端末が、選択された複数の印刷設定の差分情報を携帯端末パネル上に表示する手段と、
を備える。
【発明の効果】
【００１５】
以上述べたように、本出願に関わる第１から第５の発明により下記効果がある。ユーザは印刷装置に設定した印刷設定を、カメラによる撮影又は印刷ジョブ送信時に印刷装置から自動返信されるＥメールにより手軽に携帯端末へ取り込むことが可能となる。更にユーザが携帯端末上で印刷コンテンツと印刷設定を自由に組み合わせ印刷装置に送信することが可能となる。携帯端末から印刷装置へは印刷設定と印刷コンテンツが１つの印刷ジョブとして送信されるため、ユーザは印刷操作においては１回の送信手順を踏むだけで良く、ユーザの作業量が軽減される効果がある。
【発明を実施するための最良の形態】
【００１６】
以下、本発明を実施するための最良の形態について図面を用いて説明する。
【００１７】
＜印刷装置概要＞
図１は、本発明の実施形態に関わる印刷装置のシステム構成の概略を示す図である。
【００１８】
ホスト１０１は例えばパーソナルコンピュータなど、プリンタへの印刷ジョブ投入やプリンタ制御を行うものである。印刷装置１０２は外部装置から印刷ジョブを受信し印刷処理を行う機能を有するものである。赤外線送受信部１０３は外部機器との赤外線送受信を行うものであり、例えば外部機器からの印刷ジョブ投入や外部機器への情報提供を可能にするものである。パネル部１０４はユーザからの各種操作を受け付ける機能を有すると共に、パネル上へグラフィカルに各種情報を表示する機能を有し、ユーザとの情報入力及び提供を可能にするものである。プリンタコントローラ１０５は、外部装置から供給される印刷装置制御言語に基づいて、ページ毎にラスタデータを生成し、プリンタエンジン１０６に送出する。プリンタエンジン１０６は、プリンタコントローラ１０５から供給されるラスタデータに基づいて、感光ドラム上に潜像を形成し、その潜像を記録媒体上に転写・定着（電子写真方式）することにより画像を記録する。
【００１９】
図２は、タンデム方式のカラー印刷装置１０２の構成を説明する断面図である。
【００２０】
図において、２０１は、印刷装置筐体である。２０２は、ユーザが各種指示を与えるためのスイッチ、メッセージやプリンタの設定内容等を表示するためのＬＥＤ表示器やＬＣＤ表示器等が配された操作パネルであり、図１に示すパネル部１０４の一態様である。２０３は、ボード収容部であり、プリンタコントローラ１０５及びプリンタエンジン１０６の電子回路部分を構成するボードを収容する。
【００２１】
２２０は、用紙（記録媒体）Ｓを保持する用紙カセットであり、不図示の仕切り板によって電気的に用紙サイズを検知する機構を有する。２２１は、カセットクラッチであり、用紙カセット２２０上に載置された用紙Ｓの最上位の一枚を取り出して、取り出した用紙Ｓを不図示の駆動手段から伝達される駆動力によって給紙ローラ２２２まで搬送するカムを有する。このカムは、給紙の度に間欠的に回転し、１回転に対応して１枚の用紙Ｓを給紙する。２２３は用紙検知センサで、それぞれ用紙カセット２２０に保持されている用紙Ｓの量を検知する。
【００２２】
給紙ローラ２２２は、用紙Ｓの先端部をレジストシャッタ２２４まで搬送するローラである。２２４は、レジストシャッタであり、用紙Ｓを押圧することにより給紙を停止することができる。
【００２３】
２３０は、手差しトレイであり、２３１は、手差し給紙クラッチである。手差し給紙クラッチ２３１は、用紙Ｓの先端を手差し給紙ローラ２３２まで搬送するために使用され、手差し給紙ローラ２３２は、用紙Ｓの先端をレジストシャッタ２２４まで搬送するために使用される。画像記録に供する用紙Ｓは、用紙カセット２２０及び手差しトレイ２３０のいずれかの給紙手段を選択して給紙される。
【００２４】
プリンタエンジン１０６は、プリンタコントローラ１０５と所定の通信プロトコルにしたがって通信を行い、プリンタコントローラ１０５からの指示にしたがって用紙カセット２２０、手差しトレイ２３０の中からいずれかの給紙手段を選択する。そして、プリンタエンジン１０６は印刷の開始指示に応じて該当する給紙手段よりレジストシャッタ２２４まで用紙Ｓを搬送する。なお、プリンタエンジン１０６は、給紙手段、潜像の形成、転写、定着等の電子写真プロセスに関する機構、排紙手段及びそれらの制御手段を含む。
【００２５】
２０４ａ、２０４ｂ、２０４ｃ、２０４ｄは、感光ドラム２０５ａ、２０５ｂ、２０５ｃ、２０５ｄやトナー保持部等を有する画像記録部であり、電子写真プロセスにより、用紙Ｓ上にトナー像を形成する。一方、２０６ａ、２０６ｂ、２０６ｃ、２０６ｄは、レーザースキャナ部であり、画像記録部にレーザービームによる画像情報を供給する。
【００２６】
画像記録部２０４ａ、２０４ｂ、２０４ｃ、２０４ｄには、用紙Ｓを搬送する用紙搬送ベルト２５０が複数の回転ローラ２５１〜２５４によって用紙搬送方向（図の下から上方向）に扁平に張設される。そして、その最上流部においては、バイアスを印加した吸着ローラ２２５によって、用紙を用紙搬送ベルト２５０に静電吸着させる。またこのベルト搬送面に対向して４個の感光ドラム２０５ａ、２０５ｂ、２０５ｃ、２０５ｄが直線状に配設されており、画像形成手段を構成している。画像記録部２０４ａ、２０４ｂ、２０４ｃ、２０４ｄのそれぞれには、感光ドラムの周辺近傍を順次取り囲んで、帯電器、現像器が配置されている。
【００２７】
レーザースキャナ部２０６ａ、２０６ｂ、２０６ｃ、２０６ｄにおいて、２０７ａ、２０７ｂ、２０７ｃ、２０７ｄは、レーザーユニットである。これらはプリンタコントローラ１０５から送出される画像信号（／ＶＩＤＥＯ信号）に応じて、内蔵の半導体レーザーを駆動し、レーザービームを発射する。レーザーユニット２０７ａ、２０７ｂ、２０７ｃ、２０７ｄから発せられたレーザービームは、ポリゴンミラー（回転多面鏡）２０８ａ、２０８ｂ、２０８ｃ、２０８ｄにより走査され、感光ドラム２０５ａ、２０５ｂ、２０５ｃ、２０５ｄ上に潜像を形成する。
【００２８】
２６０は、定着器で、画像記録部２０４ａ、２０４ｂ、２０４ｃ、２０４ｄにより用紙Ｓに形成されたトナー画像を記録紙Ｓに熱定着させる。２６１は、搬送ローラで、用紙Ｓを排紙搬送する。２６２は、排紙センサで、用紙Ｓの排紙状態を検知する。２６３は、排紙ローラ兼両面印刷用搬送路切替えローラで、用紙Ｓを排紙方向へ搬送し、用紙Ｓの搬送指示が排紙の場合はそのまま排紙トレイ２６４に排紙する。前記ローラ２６３は、搬送指示が両面搬送の場合は、用紙Ｓの後端が排紙センサ２６２を通過した直後に回転方向を逆向きに変え、スイッチバックすることにより用紙Ｓを両面印刷用搬送路２７０へ搬送する。２６５は排紙積載量検知センサで、排紙トレイ２６４上に積載された用紙Ｓの積載量を検知する。
【００２９】
２７０は、両面印刷用搬送路であり、前記ローラ２６３により両面印刷用に搬送された用紙Ｓは、両面搬送ローラ２７１〜２７４によって再びレジストシャッタ２２４まで搬送されて画像記録部２０４ａ、２０４ｂ、２０４ｃ、２０４ｄへの搬送指示を待つ。
【００３０】
なお、印刷装置１０２には、さらにオプションカセットや封筒フィーダ等のオプションユニットを装備することができる。
【００３１】
図３は、プリンタコントローラ１０５の構成例を示すブロック図である。
【００３２】
図において、３０１は、パネル部１０４とのデータ通信を行うパネルインターフェース部である。ＣＰＵ３１１は、パネルインターフェース部３０１を介して、ユーザがパネル部１０４において設定・指示した内容を確認することができ、パネル部１０４への表示を行うことが出来る。３０２は、ネットワークを介してホスト１０１等のデータ処理装置と双方向に通信接続するためのネットワークインターフェース部である。３０３は、赤外線送受信部１０３を介して外部機器との赤外線によるデータ通信を行う赤外線インターフェース部である。３０４は、ネットワークインターフェース部３０２や赤外線インターフェース部３０３やメール処理部３０６から供給された印刷装置制御言語に基づいて、プリンタエンジン１０６に供給するラスタデータを生成（ラスタライズ）する画像処理部である。３０５は、生成したラスタデータを一時的に保持するための画像メモリである。３０６は、ネットワークインターフェース３０２を介してEメールを送受信し、受信したEメールからの情報を抽出する処理、及び印刷装置内の情報をEメール化して送信処理を行うメール処理部である。３０７は、プリンタエンジン１０６と通信接続するためのエンジンインターフェース部である。３０８は、ＣＰＵ３１１が使用する一時記憶用メモリとしてのＲＡＭであり、図示しない増設ポートに接続されるオプションＲＡＭによりメモリ容量を拡張できるように構成されている。３０９は、印刷装置を駆動するためのプログラムや、例えば濃度補正テーブル等の制御情報を保持するための不揮発性メモリで構成されるＲＯＭである。３１０は、ＤＭＡ制御部であり、ＣＰＵ３１１からの指示により画像メモリ３０８内のラスタデータをエンジンインターフェース部３０７に転送する。３１１は、３０９に保持された制御プログラムコードに基づいて、ＣＰＵバス３２０に接続されたデバイスを制御するＣＰＵである。
【００３３】
＜携帯端末概要＞
図４は、本発明の実施形態に関わる携帯端末のシステム構成の概略を示す図である。
【００３４】
携帯端末４００は、例えば携帯電話などが考えられ、ユーザとの情報入出力を可能にするパネル部４０１と、無線アンテナからなる無線部４０２から構成される。更に、携帯端末４００は、赤外線送受信口からなる赤外線送受信部４０３と、簡易レンズを用いたデジタル画像撮影を可能にするデジタルカメラ部４０４から構成されている。
【００３５】
図５は、携帯端末４００の構成例を示すブロック図である。
【００３６】
図において、５０１は、パネル部４０１とのデータ通信を行うパネルインターフェース部である。ＣＰＵ５０８は、パネルインターフェース部５０１を介して、ユーザがパネル部４０１において設定・指示した内容を確認することができ、パネル部４０１への表示を行うことが出来る。５０２は、無線部４０２を介して外部機器と双方向に通信接続するための無線インターフェース部である。５０３は、赤外線送受信部４０３を介して外部機器との赤外線によるデータ通信を行う赤外線インターフェース部である。５０４は、カメラ部４０４を介して撮影を行うカメラインターフェース部である。ＣＰＵ５０８は、カメラインターフェース部５０４を介してカメラ部４０４で撮影した画像をデジタルイメージデータとして扱うことができ、撮影したものがバーコードであった場合にはバーコードから情報を抽出することが出来る。５０５は、ＣＰＵ５０８が使用する一時記憶用メモリとしてのＲＡＭである。５０６は、携帯端末を駆動するためのプログラムが納められた不揮発性メモリで構成されるＲＯＭである。５０７は、無線インターフェース５０２を介してEメールを送受信し、受信したEメールからの情報を抽出する処理、及び携帯端末内の情報をEメール化して送信処理を行うメール処理部である。
【００３７】
図１５は携帯端末内の記憶装置に格納される印刷設定情報と印刷コンテンツ情報のファイル管理方法の一例を示す図である。印刷設定情報と印刷コンテンツは別ディレクトリで管理されている。各印刷設定は印刷設定フォルダ以下に印刷装置固有情報（印刷装置Ａ、印刷装置Ｂなど）と関連づけられて保存されている。図１５では印刷装置Ａに対しては、用紙に２面レイアウトする２ｕｐ指定や、両面印刷指定や、印刷装置の文書管理システムであるＢＯＸへの投入指定が関連づけられている。印刷装置Ｂに対しては、製本印刷指定や、コピー防止のための地紋付加指定や、モノクロ印刷指定及び印刷時の使用トナー量を抑制するトナー節約指定が関連づけられている。各印刷コンテンツは印刷コンテンツフォルダ以下に保存されている。図１５では例えばＰＤＦ文書、ｊｐｅｇやｔｉｆｆなどの画像データが印刷コンテンツとして保存されていることを示している。
【実施例１】
【００３８】
図６から図９を用いて、バーコードを用いて印刷装置が印刷装置の印刷設定取り込みを行い、携帯端末が取り込んだ印刷設定を含む印刷ジョブを印刷装置に送信して印刷を行う具体的な実施例を説明する。図６は本実施例に関わる印刷装置の印刷設定を、バーコードを用いて携帯端末へ取り込む動作の概要を示す図である。図７は本実施例に関わる携帯端末から印刷装置へ印刷ジョブを送信し印刷処理を行う動作の概要を示す図である。図８は本実施例に関わる印刷装置の印刷設定を、バーコードを用いて携帯端末へ取り込む処理フローを示す図であり、図中の８−ａから８−ｇは各ステップを示す。図９は本実施例に関わる携帯端末から印刷装置へ印刷ジョブを送信し印刷処理を行う処理フローを示す図であり、図中の９−ａから９−ｐは各ステップを示す。
【００３９】
図６を用いて印刷装置の印刷設定を、バーコードを用いて携帯端末へ取り込む動作の概要を説明する。図中の（ａ）は何も印刷設定を行っていない印刷装置Ａの操作パネルに表示される画面の一例であり、操作パネル上には印刷装置固有の情報（例えば製造会社と製品名など）と、その時の印刷装置Ａに設定されている印刷設定情報がバーコード化して表示されている。図中の（ｂ）はユーザが印刷装置Ａ上に対し何かしらの印刷設定変更を行った際の印刷装置Ａの操作パネルに表示される画面の一例であり、その設定変更は操作パネル上に表示されているバーコードにも反映されている。従って、ユーザが携帯端末で印刷装置Ａの操作パネルに表示されているバーコードを撮影すると、印刷装置Ａの固有の情報とその時点で印刷装置Ａに反映されている印刷設定が携帯端末に取り込まれる。
【００４０】
図７を用いて携帯端末から印刷装置へ印刷ジョブを送信し印刷処理を行う動作の概要を説明する。図中の（ａ）は印刷装置Ａの操作パネルに表示されている画面の一例である。ユーザがこの画面に表示されているバーコードを携帯端末に内蔵されているカメラで撮影すると現状の印刷装置Ａの印刷設定が携帯端末に取り込まれ、過去に印刷装置Ａに対し行った印刷設定が携帯端末のパネルに表示される。ユーザが行える操作としては、印刷装置に表示されているバーコードを携帯端末で撮影することにより印刷設定を携帯端末上に表示させる方法がある。又は、ユーザが携帯端末を操作することにより、過去に印刷装置Ａに行った印刷設定を携帯端末パネル上に表示させる方法がある。図中の（ｂ）は、ユーザが印刷を行う際に携帯端末に表示させた印刷設定を選択し、何らかの印刷コンテンツを選択して印刷実行すると、印刷設定と印刷コンテンツが印刷ジョブとして印刷装置Ａへ例えば赤外線やメール送信で投入されることを示している。その結果ユーザは携帯端末上で設定したレイアウトで印刷コンテンツを印刷することが可能である。
【００４１】
図８を用いて、印刷装置の印刷設定を、バーコードを用いて携帯端末へ取り込む処理フローを説明する。ステップ８−ａで印刷装置がユーザからの印刷設定変更を受け付けステップ８−ｂへ進む。ステップ８−ｂで印刷装置が印刷装置固有の情報及び印刷装置に設定されている印刷設定情報をバーコード化しステップ８−ｃへ進む。ステップ８−ｃで印刷装置が操作パネルにバーコードを表示する。ステップ８−ｄでユーザが携帯端末内蔵カメラを起動しステップ８−ｅへ進む。ステップ８−ｅでユーザが印刷装置上に表示されているバーコードを携帯端末内蔵カメラで撮影しステップ８−ｆへ進む。ステップ８−ｆで携帯端末が撮影したバーコードを分析し、印刷装置固有の情報及び印刷設定情報を抽出しステップ８−ｇへ進む。ステップ８−ｇで携帯端末が印刷装置固有の情報に関連づけて印刷設定情報を記憶装置に記録し本処理を終了する。
【００４２】
図９を用いて、携帯端末が印刷装置へ印刷ジョブを送信し印刷処理を行う処理フローを説明する。本処理のステップ９−ａからステップ９−ｇに関しては、図８のステップ８−ａからステップ８−ｇと同じ処理となる。ステップ９−ａで印刷装置がユーザからの印刷設定変更を受け付けステップ９−ｂへ進む。ステップ９−ｂで印刷装置が印刷装置固有の情報及び印刷装置に設定されている印刷設定情報をバーコード化しステップ９−ｃへ進む。ステップ９−ｃで印刷装置が操作パネルにバーコードを表示する。ステップ９−ｄでユーザが携帯端末内蔵カメラを起動しステップ９−ｅへ進む。ステップ９−ｅでユーザが印刷装置上に表示されているバーコードを携帯端末内蔵カメラで撮影しステップ９−ｆへ進む。ステップ９−ｆで携帯端末が撮影したバーコードを分析し、印刷装置固有の情報及び印刷設定情報を抽出しステップ９−ｇへ進む。ステップ９−ｇで携帯端末が印刷装置固有の情報に関連づけて印刷設定情報を記憶装置に記録しステップ９−ｈへ進む。ステップ９−ｈで携帯端末が対象の印刷装置に関連づけられた印刷設定情報を記憶装置から読み出しステップ９−ｉへ進む。ステップ９−ｉで携帯端末が携帯端末が携帯端末操作パネルに印刷設定一覧を表示しステップ９−ｊへ進む。ステップ９−ｊでユーザが携帯端末操作パネルで印刷設定を選択しステップ９−ｋへ進む。ステップ９−ｋでユーザが携帯端末操作パネルで印刷コンテンツを選択しステップ９−ｌへ進む。ステップ９−ｌで携帯端末が印刷設定と印刷コンテンツからなる印刷ジョブを印刷装置へ赤外線送信する。ユーザはステップ９−ｌで印刷ジョブが印刷装置へ赤外線送信される前に、印刷装置を赤外線受信モードに設定する必要がある。ステップ９−ｍでユーザが印刷装置を赤外線受信モードに設定しステップ９−ｎに進む。ステップ９−ｎで印刷装置が印刷ジョブを赤外線受信しステップ９−ｏへ進む。ステップ９−ｏで印刷装置が受信した印刷ジョブから印刷設定と印刷コンテンツを読み出しステップ９−ｐへ進む。ステップ９−ｐで印刷装置が印刷設定に従い印刷コンテンツの印刷を実行し本処理を終了する。
【実施例２】
【００４３】
図１０から図１２を用いて、Ｅメールを用いて印刷装置が印刷装置の印刷設定取り込みを行い、携帯端末が取り込んだ印刷設定を含む印刷ジョブを印刷装置に送信して印刷を行う具体的な実施例を説明する。図１０は本実施例に関わる印刷処理及び印刷装置の印刷設定を、Ｅメールを用いて携帯端末へ取り込む動作の概要を示す図である。図１１は本実施例に関わる印刷処理及び印刷装置の印刷設定を、Ｅメールを用いて携帯端末へ取り込む処理フローを示す図であり、図中の１１−ａから１１−ｌは各ステップを示す。図１２は本実施例に関わる携帯端末から印刷装置へ印刷設定を含む印刷ジョブを送信し印刷処理を行う処理フローを示す図であり、図中の１２−ａから１２−ｆは各ステップを示す。
【００４４】
図１０を用いて印刷処理及び印刷装置の印刷設定を、Ｅメールを用いて携帯端末へ取り込む動作の概要を説明する。図中の（ａ）はユーザーが印刷装置Ａに対して操作パネルから何かしらの印刷設定変更を行った状態を示している。図中の（ｂ）は、印刷設定変更されている印刷装置Ａに対しユーザが携帯端末から印刷ジョブをＥメールとして投入すると、印刷装置Ａが設定されている印刷設定に基づいたレイアウトで印刷実行することを示している。図中の（ｃ）は印刷装置Ａが印刷処理を終了した際に、印刷装置Ａが現状設定されている印刷設定を印刷ジョブ送信元である携帯端末のＥメールアドレス宛にＥメールとして送信することを示している。携帯端末はＥメールを受信し、Ｅメール中に印刷設定が含まれる場合にその印刷設定を携帯端末に取り込む。
【００４５】
図１１を用いて印刷処理及び印刷装置の印刷設定を、Ｅメールを用いて携帯端末へ取り込む処理フローを説明する。ステップ１１−ａで印刷装置がユーザからの印刷設定変更を受け付けステップ１１−ｂへ進む。ステップ１１−ｈでユーザが携帯端末操作パネルで印刷コンテンツを選択しステップ１１−ｉへ進む。ステップ１１−ｉで携帯端末が印刷コンテンツを含むＥメールを印刷装置へ送信する。ステップ１１−ｂで印刷装置が印刷コンテンツを含むＥメールを受信しステップ１１−ｃへ進む。ステップ１１−ｃで印刷装置がＥメールから送信元のメールアドレスＸを抽出し印刷装置内記憶装置に保持しステップ１１−ｄへ進む。ステップ１１−ｄで印刷装置がＥメールから印刷コンテンツを抽出しステップ１１−ｅへ進む。ステップ１１−ｅで印刷装置が印刷設定に従い印刷コンテンツの印刷を実行しステップ１１−ｆへ進む。ステップ１１−ｆで印刷装置が印刷装置の公有の情報と印刷設定情報を含むＥメールを生成しステップ１１−ｇへ進む。ステップ１１−ｇで印刷装置が記憶装置内に保持していたメールアドレスＸ宛に印刷装置固有の情報と印刷設定情報を含むＥメールを送信する。ステップ１１−ｊで携帯端末が印刷装置固有の情報と印刷設定情報を含むメールを受信しステップ１１−ｋへ進む。ステップ１１−ｋで携帯端末がメールから印刷装置固有の情報と印刷設定情報を抽出しステップ１１−ｌへ進む。ステップ１１−ｌで携帯端末が印刷装置固有の情報に関連づけて印刷設定情報を携帯端末内の記憶装置に記録し本処理を終了する。
【００４６】
図１２を用いて携帯端末から印刷装置へ印刷設定を含む印刷ジョブを送信し印刷処理を行う処理フローを説明する。図１１では携帯端末から印刷設定を含まない印刷ジョブを印刷装置に送信する例を説明したが、ここでは既に携帯端末に取り込んである印刷設定を含む印刷ジョブを印刷装置に送信して印刷処理を行う例を説明する。ステップ１２−ｄでユーザが携帯端末操作パネルで印刷設定を選択しステップ１２−ｅへ進む。ステップ１２−ｅでユーザが携帯端末操作パネルで印刷コンテンツを選択しステップ１２−ｆへ進む。ステップ１２−ｆで携帯端末が印刷設定と印刷コンテンツを含むメールを印刷装置へ送信する。ステップ１２−ａで印刷装置が印刷設定と印刷コンテンツを含むＥメールを受信しステップ１２−ｂへ進む。ステップ１２−ｂで印刷装置がＥメールから印刷設定と印刷コンテンツを抽出しステップ１２−ｃへ進む。ステップ１２−ｃで印刷装置が印刷設定に従い印刷コンテンツの印刷を実行し本処理を終了する。
【実施例３】
【００４７】
図１３と図１４を用いて、携帯端末が複数の印刷設定間の差分情報をユーザに提示する具体的な実施例を説明する。図１３は本実施例に関わる携帯端末が複数の印刷設定間の差分情報をユーザに提示する動作の概要を示す図である。図１４は本実施例に関わる携帯端末が複数の印刷設定間の差分情報をユーザに提示する動作の処理フローを示す図であり、図中の１４−ａから１４−ｄは各ステップを示す。
【００４８】
図１３を用いて携帯端末が複数の印刷設定間の差分情報をユーザに提示する動作の概要を説明する。図中の（ａ）は携帯端末操作パネルに複数の印刷設定が一覧表示されている状態を示している。携帯端末操作パネルの表示領域は狭いため一覧表示の内容によっては文字が画面内に表示しきれず文字列が切れてしまう場合がある。例えばこの例では設定３と４は「片面＋２−ｕｐ」まで表示されているがその後の設定内容が画面からはみ出して読み取れず、設定３と４でどのような差分があるのかがユーザにはわからない。このような場合、図中の（ｂ）のようにユーザが差分を知りたい印刷設定を選択すると、図中の（ｃ）のように選択した印刷設定に関して差分情報と共通情報が操作パネル上に表示される。これによりユーザーは各印刷設定の違いを簡単に把握することが可能である。
【００４９】
図１４を用いて携帯端末が複数の印刷設定間の差分情報をユーザに提示する動作の処理フローを説明する。ステップ１４−ａで携帯端末がユーザに複数の印刷設定を選択させ、比較対象の印刷設定指定を受け付けステップ１４−ｂへ進む。ステップ１４−ｂで携帯端末が選択された複数の印刷設定のうち共通の設定部分を抽出しステップ１４−ｃへ進む。ステップ１４−ｃで携帯端末が選択された複数の印刷設定のうち異なる設定部分を抽出しステップ１４−ｄへ進む。ステップ１４−ｄで携帯端末が選択された印刷設定の差分内容と共通内容を操作パネルに表示し本処理を終了する。
【図面の簡単な説明】
【００５０】
【図１】本発明の実施形態における、印刷システム構成の概略を示す図
【図２】本発明の実施形態における、印刷装置の一構成例を示す断面図
【図３】本発明の実施形態における、プリンタコントローラの構成例を示すブロック図
【図４】本発明の実施形態における、携帯端末のシステム構成の概略を示す図
【図５】本発明の実施形態における、携帯端末の構成例を示すブロック図
【図６】実施例１に関わる印刷装置の印刷設定を、バーコードを用いて携帯端末へ取り込む動作の概要を示す図
【図７】実施例１に関わる携帯端末から印刷装置へ印刷ジョブを送信し印刷処理を行う動作の概要を示す図
【図８】実施例１に関わる印刷装置の印刷設定を、バーコードを用いて携帯端末へ取り込む処理フローを示す図
【図９】実施例１に関わる携帯端末から印刷装置へ印刷ジョブを送信し印刷処理を行う処理フローを示す図
【図１０】実施例２に関わる印刷処理及び印刷装置の印刷設定を、Ｅメールを用いて携帯端末へ取り込む動作の概要を示す図
【図１１】実施例２に関わる印刷処理及び印刷装置の印刷設定を、Ｅメールを用いて携帯端末へ取り込む処理フローを示す図
【図１２】実施例２に関わる携帯端末から印刷装置へ印刷設定を含む印刷ジョブを送信し印刷処理を行う処理フローを示す図
【図１３】実施例３に関わる携帯端末が複数の印刷設定間の差分情報をユーザに提示する動作の概要を示す図
【図１４】実施例３に関わる携帯端末が複数の印刷設定間の差分情報をユーザに提示する動作の処理フローを示す図
【図１５】携帯端末内の記憶装置に格納される印刷設定情報と印刷コンテンツ情報のファイル管理方法の一例を示す図
【符号の説明】
【００５１】
１０１  ホスト（情報処理装置）
１０２  印刷装置
１０３  赤外線送受信部
１０４  パネル部
１０５  プリンタコントローラ
１０６  プリンタエンジン
２０１  プリンタ筐体
２０２  操作パネル
２０３  ボード収納部
２０４ａ，２０４ｂ，２０４ｃ，２０４ｄ  画像記録部
２０５ａ，２０５ｂ，２０５ｃ，２０５ｄ  感光ドラム
２０６ａ，２０６ｂ，２０６ｃ，２０６ｄ  レーザースキャナ部
２０７ａ，２０７ｂ，２０７ｃ，２０７ｄ  レーザーユニット
２０８ａ，２０８ｂ，２０８ｃ，２０８ｄ  ポリゴンミラー（回転多面鏡）
２２０  用紙カセット
２２１  カセットクラッチ
２２２  給紙ローラ
２２３  用紙検知センサ
２２４  レジストシャッタ
２２５  吸着ローラ
２３０  手差しトレイ
２３１  手差し給紙クラッチ
２３２  手差し給紙ローラ
２５０  用紙搬送ベルト
２５１〜２５４  回転ローラ
２６０  定着器
２６１  搬送ローラ
２６２  排紙センサ
２６３  排紙ローラ兼両面印刷用搬送路切替えローラ
２６４  排紙トレイ
２６５  排紙積載量検知センサ
２７０  両面印刷用搬送路
２７１〜２７４  両面搬送ローラ
３０１  パネルＩ／Ｆ部
３０２  ネットワークＩ／Ｆ部
３０３  赤外線Ｉ／Ｆ部
３０４  画像処理部
３０５  画像メモリ
３０６  メール処理部
３０７  エンジンＩ／Ｆ部
３０８  ＲＡＭ
３０９  ＲＯＭ
３１０  ＤＭＡ制御部
３１１  ＣＰＵ
４００  携帯端末
４０１  操作パネル部
４０２  無線部（無線アンテナ）
４０３  赤外線送受信部
４０４  カメラ部
５０１  パネルＩ／Ｆ部
５０２  無線Ｉ／Ｆ部
５０３  赤外線Ｉ／Ｆ部
５０４  カメラＩ／Ｆ部
５０５  ＲＡＭ
５０６  ＲＯＭ
５０７  メール処理部
５０８  ＣＰＵ
【図１】
2010117781.tif 000003
【図２】
2010117781.tif 000004
【図３】
2010117781.tif 000005
【図４】
2010117781.tif 000006
【図５】
2010117781.tif 000007
【図６】
2010117781.tif 000008
【図７】
2010117781.tif 000009
【図８】
2010117781.tif 000010
【図９】
2010117781.tif 000011
【図１０】
2010117781.tif 000012
【図１１】
2010117781.tif 000013
【図１２】
2010117781.tif 000014
【図１３】
2010117781.tif 000015
【図１４】
2010117781.tif 000016
【図１５】
2010117781.tif 000017